(57)【特許請求の範囲】
【請求項１】
プログレッシブ形式の動画像データを入力する入力手段と、
前記入力手段により入力されたプログレッシブ形式の動画像データを、２系統のインターレース形式の動画像データに変換する第１の変換手段と、
前記第１の変換手段から出力された前記２系統のインターレース形式の動画像データの一方を１系統のインターレース動画像データとして出力する生成手段と、
前記１系統のインターレース動画像データよりも小さい所定の画素数の表示部と、
前記生成手段からの前記１系統のインターレース動画像データの画素数を前記表示部の画素数に対応した画素数に変更し、前記表示部に出力するリサイズ手段と、
前記第１の変換手段から出力された前記２系統のインターレース形式の動画像データを入力し、前記２系統のインターレース形式の動画像データをプログレッシブ形式の動画像データに変換する第２の変換手段と、
前記生成手段から出力された前記１系統のインターレース動画像データと、前記第２の変換手段から出力されたプログレッシブ形式の動画像データの一方を選択する第１の選択手段と、
前記第１の選択手段により選択された動画像データを外部の表示装置に出力する出力手段と、
前記生成手段から出力された前記１系統のインターレース動画像データと、前記第２の変換手段から出力されたプログレッシブ形式の動画像データの一方を選択する第２の選択手段と、
前記第２の選択手段により選択された動画像データを記録媒体に記録する記録手段
とを備え、
前記生成手段は、前記１系統のインターレース動画像データを、前記リサイズ手段、前記第１の選択手段、及び、前記第２の選択手段に出力し、
前記第２の変換手段は、変換したプログレッシブ形式の動画像データを前記第１の選択手段と前記第２の選択手段とに出力することを特徴とする画像処理装置。
【請求項２】
前記外部の表示装置の表示形式がインターレース形式の場合に前記生成手段から出力される前記１系統のインターレース動画像データを選択し、前記外部の表示装置の表示形式がプログレッシブ形式の場合に前記第２の変換手段から出力されたプログレッシブ形式の動画像データを選択するように、前記外部の表示装置の表示形式に応じて前記第１の選択手段を制御する制御手段を備えたことを特徴とする請求項１に記載の画像処理装置。
【請求項３】
ユーザからの指示に応じて、前記生成手段から出力された前記１系統のインターレース動画像データと、前記第２の変換手段から出力されたプログレッシブ形式の動画像データの一方を選択するように、前記第２の選択手段を制御する制御手段を備えたことを特徴とする請求項１に記載の画像処理装置。
【請求項４】
前記記録媒体から動画像データを再生する再生手段を備え、
再生モードにおいて、前記第１の変換手段は、前記再生手段により再生された、プログレッシブ形式の再生動画像データを、２系統のインターレース形式の再生動画像データに変換し、前記生成手段は、前記第１の変換手段が前記プログレッシブ形式の再生動画像データを変換することにより出力された２系統のインターレース形式の再生動画像データの一方を１系統のインターレース再生動画像データとして出力し、前記第２の変換手段は、前記第１の変換手段から出力された２系統のインターレース形式の再生動画像データをプログレッシブ形式の再生動画像データに変換して出力し、前記リサイズ手段は、前記生成手段からの１系統のインターレース再生動画像データの画素数を変更して前記表示部に出力し、前記第１の選択手段は、前記生成手段からの１系統のインターレース再生動画像データと、前記第２の変換手段からのプログレッシブ形式の再生動画像データの一方を選択して前記出力手段に出力する
ことを特徴とする請求項１に記載の画像処理装置。
【請求項５】
前記第１の選択手段により選択された動画像データの画素数を前記外部の表示装置の画素数に合わせて変更し、前記出力手段に出力する第２のリサイズ手段と、
前記第２の選択手段により選択された動画像データの画素数を前記記録媒体に記録するために定められた画素数に合わせて変更し、前記記録手段に出力する第３のリサイズ手段
とを備えたことを特徴とする請求項１に記載の画像処理装置。
【請求項６】
前記第１の変換手段から出力される前記２系統のインターレース形式の動画像データのフィールド周波数が、前記入力手段により入力されたプログレッシブ形式の動画像データのフレーム周波数と等しいことを特徴とする請求項１から５の何れか１項に記載の画像処理装置。
【発明の詳細な説明】
【技術分野】
【０００１】
本発明は画像処理装置に関し、特に動画像を処理する画像処理装置に関する。
【背景技術】
【０００２】
従来、デジタル放送を受信するデジタルテレビが知られている。デジタル放送では、横１９２０画素×縦１０８０画素、５９．９４フィールド／秒（Ｈｚ）のインターレース規格（１０８０／５９．９４ｉ）の動画像を放送する。デジタルテレビは、このような高精細な動画像を受信し、表示する。
【０００３】
また、近年、横１９２０画素×縦１０８０画素、５９．９４フレーム／秒（Ｈｚ）のプログレッシブ規格（１０８０／５９．９４ｐ）の動画像も表示可能なテレビが普及し始めている。このように、高精細な動画像を扱う機器が、民生機器として普及しつつある。
【０００４】
一方、ビデオカメラにおいても、このような高精細な動画像を撮影し、記録するものが登場している（特許文献１参照）。
【先行技術文献】
【特許文献】
【０００５】
【特許文献１】特開２０１０−１１９０８１号公報
【発明の概要】
【発明が解決しようとする課題】
【０００６】
１０８０／５９．９４ｐの動画像のデータ量は、１０８０／５９．９４ｉの動画像の２倍となる。そのため、１０８０／５９．９４ｐの動画像を処理するための回路規模や消費電力は、１０８０／５９．９４ｉの動画像を処理する場合に比べて大きくなる。
【０００７】
一方、ビデオカメラのような民生機器においては、小型且つ安価な製品が求められており、１０８０／５９．９４ｐの様な高精細な動画像をビデオカメラで扱うことが難しかった。
【０００８】
本発明はこのような問題を解決し、回路規模と消費電力を抑えながら、高精細な動画像を扱える画像処理装置を提供することを目的とする。
【課題を解決するための手段】
【０００９】
本発明に係る画像処理装置は、プログレッシブ形式の動画像データを入力する入力手段と、前記入力手段により入力されたプログレッシブ形式の動画像データを、２系統のインターレース形式の動画像データに変換する第１の変換手段と、前記第１の変換手段から出力された前記２系統のインターレース形式の動画像データの一方を１系統のインターレース動画像データとして出力する生成手段と、前記１系統のインターレース動画像データよりも小さい所定の画素数の表示部と、前記生成手段からの前記１系統のインターレース動画像データの画素数を前記表示部の画素数に対応した画素数に変更し、前記表示部に出力するリサイズ手段と、前記第１の変換手段から出力された前記２系統のインターレース形式の動画像データを入力し、前記２系統のインターレース形式の動画像データをプログレッシブ形式の動画像データに変換する第２の変換手段と、前記生成手段から出力された前記１系統のインターレース動画像データと、前記第２の変換手段から出力されたプログレッシブ形式の動画像データの一方を選択する第１の選択手段と、前記第１の選択手段により選択された動画像データを外部の表示装置に出力する出力手段と、前記生成手段から出力された前記１系統のインターレース動画像データと、前記第２の変換手段から出力されたプログレッシブ形式の動画像データの一方を選択する第２の選択手段と、前記第２の選択手段により選択された動画像データを記録媒体に記録する記録手段とを備え、前記生成手段は、前記１系統のインターレース動画像データを、前記リサイズ手段、前記第１の選択手段、及び、前記第２の選択手段に出力し、前記第２の変換手段は、変換したプログレッシブ形式の動画像データを前記第１の選択手段と前記第２の選択手段とに出力することを特徴とする。
【発明の効果】
【００１０】
本発明によれば、回路規模と消費電力を抑えながら、高精細な動画像を扱うことが可能となる。
【図面の簡単な説明】
【００１１】
【図１】本発明の一実施例を組み込んだビデオカメラの概略構成ブロック図である。
【図２】画像処理部の概略構成ブロック図である。
【図３】ＰＩ変換部とＩＰ変換部の動作を説明するタイミングチャートである。
【図４】プログレッシブ動画像データの再生中に再生ポーズの指示があったときの動作タイミング例を示す。
【図５】プログレッシブ動画像データのスロー再生中に再生ポーズの指示があったときの動作タイミング例を示す。
【図６】プログレッシブ動画像データの再生中に再生ポーズの指示があったときの別の動作タイミング例を示す。
【発明を実施するための形態】
【００１２】
以下、図面を参照して、本発明の実施例を詳細に説明する。
【実施例１】
【００１３】
図１は、本発明に係る画像処理装置の一実施例を組み込んだビデオカメラ１００の概略構成ブロック図である。ビデオカメラ１００は、インターレース規格（１０８０／５９．９４ｉ）の動画像と、プログレッシブ規格（１０８０／５９．９４ｐ）の動画像を撮影し、記録できる。ユーザは、どちらの動画像を撮影記録するかをビデオカメラ１００に指示できる。
【００１４】
撮像部１０１は被写体を撮影し、１０８０／５９．９４ｉの動画像データと１０８０／５９．９４ｐの動画像データの一方を出力する。画像処理部１０２は、撮影時には、撮像部１０１からの動画像データをメモリ１０３に記憶し、表示部１０４、表示装置１１１及び記録媒体１０８への出力に適した形式に変換する。画像処理部１０２は、再生時には、圧縮伸長部１０６からの動画像データをメモリ１０３に記憶し、表示部１０４及び表示装置１１１への出力に適した形式に変換する。
【００１５】
表示部１０４は決められた画素数の液晶パネル等の表示装置を有する。表示部１０４は、撮影時には、撮像部１０１からの撮影された被写体の画像を表示し、再生時には、記録媒体１０８から再生された画像を表示する。外部ＩＦ１０５は、接続された外部の表示装置１１１に、撮影された動画像又は再生された動画像を出力する。また、外部ＩＦ１０５は、ＨＤＭＩ規格に従い、外部の表示装置１１１から表示装置１１１の画素数の情報を取得する。
【００１６】
圧縮伸長部１０６は、撮影時には、画像処理部１０２からの動画像データをＭＰＥＧ等の公知の符号化処理で圧縮する。また、圧縮伸長部１０６は、再生時には記録再生部１０７により再生された圧縮動画像データを伸長し、画像処理部１０２に出力する。
【００１７】
記録再生部１０７は、撮影時には、圧縮伸長部１０６により圧縮された動画像データを記録媒体１０８に記録し、再生時には記録媒体１０８に記録される圧縮動画像データを読み出して圧縮伸長部１０６に出力する。
【００１８】
ＣＰＵ１０９は、不図示の不揮発メモリに記憶されたプログラムに従ってビデオカメラ１００の各部を制御する。また、ＣＰＵ１０９は、操作部１１０からの指示に従い、ビデオカメラ１００の動作を制御する。操作部１１０は、電源スイッチ、撮影開始のトリガスイッチ、再生モードへの切り替えスイッチ、並びに、再生ボタン、スロー再生及びポーズを指示するためのボタン等を有する。
【００１９】
ビデオカメラ１００の基本的な撮影動作を説明する。操作部１１０により電源が投入されると、ＣＰＵ１０９は各部を制御してビデオカメラ１００を撮影モードに設定し、撮影待機状態となる。本実施例では、ユーザは、操作部１１０により、１０８０／５９．９４ｉと１０８０／５９．９４ｐの何れの種類の動画を記録するかを事前に選択する。
【００２０】
撮影待機状態では、撮像部１０１は被写体の画像を撮影し、動画像データを画像処理部１０２に出力する。画像処理部１０２は、撮像部１０１からの動画像データを処理し、表示部１０４に送る。表示部１０４は、画像処理部１０２からの動画像データによる被写体の画像を表示する。撮影待機状態で表示される動画像は、被写体と構図の確認用であるから、記録時の解像度と同じか、これよりも低い解像度でもよい。本実施例では、例えば、記録用に選択された動画の種類（解像度）に関わらず、１０８０／５９．９４ｉである。
【００２１】
外部ＩＦ１０５に表示装置１１１が接続されている場合、外部ＩＦ１０５は、表示装置１１１から、表示装置１１１の表示画素数の情報を取得し、ＣＰＵ１０９に送る。ＣＰＵ１０９は、画像処理部１０２に外部ＩＦへの動画像出力とその画素数を指示する。画像処理部１０２は、外部ＩＦ１０５に動画像データを出力し、外部ＩＦ１０５は、画像処理部１０２からの動画像データを表示装置１１１に出力する。
【００２２】
このような撮影待機状態において、操作部１１０により撮影開始の指示があると、ＣＰＵ１０９は、予め記録用に選択された動画像データの出力を撮像部１０１に指示する。撮像部１０１は、ＣＰＵ１０９により指示された動画像データを出力する。
【００２３】
画像処理部１０２は、撮像部１０１からの動画像データを後述の様に処理し、表示部１０４、外部ＩＦ１０５及び圧縮伸長部１０６に出力する。圧縮伸長部１０６は、画像処理部１０２からの動画像データを圧縮処理し、圧縮動画像データを記録再生部１０７に送る。記録再生部１０７は、ＣＰＵ１０９からの指示に従い、圧縮伸長部１０６からの圧縮動画像データを記録媒体１０８に記録する。
【００２４】
このように動画の記録を継続する間に、操作部１１０から撮影停止の指示があると、ＣＰＵ１０９は記録再生部１０７に記録の停止を指示する。記録再生部１０７は、ＣＰＵ１０９からの記録停止の指示に従い、記録媒体１０８への動画像の記録を停止する。なお、本実施例では、記録媒体１０８は、フラッシュメモリカード等のランダムアクセスの記録媒体からなる。記録媒体１０８には、撮影開始の指示から撮影停止の指示までの一連の動画像データ（圧縮動画像データ）が一つのファイルとして記録される。また、記録再生部１０７は、記録中の動画像データが１０８０／５９．９４ｉと１０８０／５９．９４ｐの何れであるかを示す付加情報を動画像データファイルに付加する。
【００２５】
再生動作を説明する。ユーザが操作部１１０を操作し、再生モードへの切り替えを指示すると、ＣＰＵ１０９はビデオカメラ１００を再生モードに設定する。ＣＰＵ１０９はまた、記録媒体１０８に記録された動画像データのうち、ユーザが指定した動画像データを再生するように記録再生部１０７に指示する。記録再生部１０７は、記録媒体１０８から指定された動画像データ（圧縮データ）を再生し、圧縮伸長部１０６に送る。圧縮伸長部１０６は、再生された動画像データ（圧縮データ）を伸長し、画像処理部１０２に送る。画像処理部１０２は、圧縮伸長部１０６から出力された、再生動画像データを後述の様に処理し、表示部１０４と外部ＩＦ１０５に出力する。表示部１０４は、画像処理部１０２からの再生動画像データの画像を表示する。また、外部ＩＦ１０５は、画像処理部１０２からの再生動画像データを表示装置１１１に出力する。
【００２６】
動画像データの再生中に、操作部１１０より再生一時停止（ポーズ）の指示があると、ＣＰＵ１０９は、記録媒体１０８からの動画像データの再生の一時停止を記録再生部１０７に指示する。このとき、ＣＰＵ１０９は、記録再生部１０７から再生停止位置の情報を取得し、記憶する。また、ＣＰＵ１０９は、一時指示があった時に再生されていたフレームをそのまま表示するように画像処理部１０２に指示する。画像処理部１０２は、ＣＰＵ１０９からのこのポーズ指示に応じて、再生中の動画像データの１フレームをメモリ１０３に一時記憶する。画像処理部１０２は、メモリ１０３に一時記憶するその１フレームの画像データをメモリ１０３から繰り返し読み出して、表示部１０４及び外部ＩＦ１０５に出力する。
【００２７】
操作部１１０から再度、通常再生の指示があると、ＣＰＵ１０９は、記録再生部１０７を制御し、再生を一時停止した位置から続けて動画像データを再生する。また、ＣＰＵ１０９は、画像処理部１０２に記録再生部１０７からの再生動画像データを表示部１０４及び外部ＩＦ１０５に出力するように指示する。
【００２８】
動画像データの再生中に、操作部１１０よりスロー再生の指示があると、ＣＰＵ１０９は、記録再生部１０７に、例えば通常再生時の１／２倍速でのスロー再生を指示する。記録再生部１０７は、指示されるスロー再生速度に応じたタイミングで記録媒体１０８から動画像データ（圧縮動画像データ）を読み出し、圧縮伸長部１０６に送る。圧縮伸長部１０６は、記録再生部１０７からの圧縮動画像データを伸長し、再生動画像データを画像処理部１０２に送る。画像処理部１０２は、圧縮伸長部１０６からの再生動画像データをメモリ１０３に記憶しつつ、スロー再生に対応したタイミングでメモリ１０３から動画像データを読み出し、表示部１０４と外部ＩＦ１０５に出力する。これにより、表示部１０４及び表示装置１１１は、スロー再生の動画像を表示する。
【００２９】
操作部１１０から再度、通常再生の指示があると、ＣＰＵ１０９は、記録再生部１０７、圧縮伸長部１０６及び画像処理部１０２に、通常再生速度での再生処理を指示する。この指示に従い、記録再生部１０７は、通常の再生速度に応じたタイミングで動画像データを記録媒体１０８から読み出し、圧縮伸長部１０６は、記録再生部１０７からの圧縮動画像データを伸長する。画像処理部１０２は、圧縮伸長部１０６からの再生動画像データを表示部１０４と外部ＩＦ１０５に出力する。これにより、表示部１０４及び表示装置１１１は、通常再生速度の再生動画像を画像表示する。
【００３０】
また、通常再生中、スロー再生中又は再生ポーズ中に、ユーザが操作部１１０で再生停止の指示を入力すると、ＣＰＵ１０９は、記録再生部１０７による動画の再生を停止する。
【００３１】
図２は、画像処理部１０２の概略構成ブロック図を示す。図２を参照して，画像処理部１０２の構成と機能を説明する。画像処理部１０２の各部は、ＣＰＵ１０９により制御される。
【００３２】
撮影モードでは、撮像部１０１からの動画像データがメモリ１０３に記憶される。再生モードでは、圧縮伸長部１０６からの動画像データがメモリ１０３に記憶される。画像処理部１０２は、撮像部１０１からの動画像データをメモリ１０３に格納する。
【００３３】
ＰＩ変換部２０１は、メモリ１０３に記憶された動画像データがプログレッシブ形式の場合、ＣＰＵ１０９からの指示に従い、そのプログレッシブ動画像データをインターレース方式に変換する。具体的には、ＰＩ変換部２０１は、入力プログレッシブ信号の各フレームを、奇数番目（又は偶数番目）の水平ラインからなるマスタインターレース信号と、偶数番目（又は奇数番目）の水平ラインからなるスレーブインターレース信号に分離する。マスタインターレース信号として選択する水平ラインと、スレーブインターレース信号として選択する水平ラインを、１フレーム期間（１／５９．９４秒）毎に切り替えるスイッチにより実現できる。これにより、マスタインターレース信号とスレーブインターレース信号は共に、入力プログレッシブ動画像データの水平ラインをインターレースしたインターレース動画像データになる。ＰＩ変換部２０１は、入力プログレッシブ信号の同じフレームに含まれるマスタインターレース信号とスレーブインターレース信号を同時に出力する。ＰＩ変換部２０１の出力するマスタインターレース信号とスレーブインターレース信号のフィールド周波数は、入力するプログレッシブ信号のフレーム周波数に等しくなる。
【００３４】
メモリ１０３に記憶された動画像データがインターレース形式の場合、ＰＩ変換部２０１は、メモリ１０３に記憶された動画像データをそのまま、マスタインターレース信号として出力する。すなわち、メモリ１０３に記憶された動画像データが１０８０／５９．９４ｉである場合、ＰＩ変換部２０１は、その１０８０／５９．９４ｉの動画像データをマスタインターレース信号として出力する。この場合、ＰＩ変換部２０１は、スレーブインターレース信号を出力しない。
【００３５】
ＩＩ変換部２０２は、ＰＩ変換部２０１からのマスタインターレース信号とスレーブインターレース信号から１系統のインターレースの動画像データを生成する。リサイズ部２０３は、ＩＩ変換部２０２からのインターレース動画像データの各フレームの画素数を、表示部１０４の画素数にあわせて変更して、表示部１０４に出力する。一般的な携帯可能な撮像装置に装備される場合、表示部１０４の画素数は例えばＱＶＧＡ（横３２０×縦２４０）程度であり、リサイズ部２０３によるリサイズ、例えば画素間引きによっても十分な画質が得られる。
【００３６】
ＩＰ変換部２０４は、ＣＰＵ１０９の指示に従い、ＰＩ変換部２０１からのマスタインターレース信号とスレーブインターレース信号から１系統のプログレッシブ形式（１０８０／５９．９４ｐ）の動画像データを生成し出力する。切替え部２０５は、ＣＰＵ１０９の指示に従い、ＩＩ変換部２０２からのインターレース動画像データとＩＰ変換部２０４からのプログレッシブ動画像データの一方を選択して、リサイズ部２０６に出力する。
【００３７】
外部ＩＦ１０５は、接続された表示装置１１１の動画表示形式（プログレッシブ形式かインタレース形式）の情報を取得してＣＰＵ１０９に通知している。ＣＰＵ１０９は、表示装置１１１の表示形式に応じて切替え部２０５を制御する。すなわち、表示装置１１１がインターレース表示に対応する場合、ＣＰＵ１０９は、切替え部２０５にＩＩ変換部２０２からのインターレース信号を選択させる。他方、表示装置１１１がプログレッシブ表示に対応する場合、ＣＰＵ１０９は、切替え部２０５にＩＰ変換部２０４からのプログレッシブ信号を選択させる。表示装置１１１がインターレース表示とプログレッシブ表示の両方に対応する場合、ＩＰ変換部２０４からのプログレッシブ信号を選択させる。切替え部２０５は、選択した信号をリサイズ部２０６に出力する。リサイズ部２０６は、ＣＰＵ１０９の指示に従い、切替え部２０５からの動画像データの各フレームの画素数を表示装置１１１の表示画素数に適合するように変更し、外部ＩＦ１０５に出力する。
【００３８】
切替え部２０７は、ＣＰＵ１０９からの指示に従い、ＩＩ変換部２０２からのインターレース動画像データとＩＰ変換部２０４からのプログレッシブ動画像データの一方を選択してリサイズ部２０６に出力する。ユーザは、前述の様に、撮影時の記録形式として、インターレースの動画像データとプログレッシブの動画像データの一方を選択する。ＣＰＵ１０９は、インターレース記録が選択されている場合、ＩＩ変換部２０２からのインターレース動画像データを選択する様に切替え部２０７に指示する。ＣＰＵ１０９は、プログレッシブ記録が選択されている場合、ＩＰ変換部２０４からのプログレッシブ動画像データを選択する様に切替え部２０７に指示する。リサイズ部２０８は、切替え部２０７からの動画像データの各フレームの画素数を、記録媒体１０８に記録するために規定された画素数に変更し、圧縮伸長部１０６に出力する。
【００３９】
図３は、撮影時と通常再生時におけるＰＩ変換部２０１とＩＰ変換部２０４の動作を説明するタイミングチャートである。
【００４０】
図３（ａ）は、ＰＩ変換部２０１のタイミングチャート例を示す。１０８０ｐｖ、１０８０ｉｆ及び１０８０ｉｖはそれぞれ、ＣＰＵ１０９から出力される信号である。１０８０ｐｖは、１０８０／５９．９４ｐのプログレッシブ信号の垂直同期タイミングを示す信号である。１０８０ｐは、撮像部１０１又は圧縮伸長部１０６からメモリ１０３に順次記憶されたプログレッシブ動画像データを示し、ＦＲＡＭ０、ＦＲＡＭ１及びＦＲＡＭ２はそれぞれ、１フレームの動画像データを示す。１０８０ｉｆと１０８０ｉｖはそれぞれ、マスタインターレース信号とスレーブインターレース信号の、フィールド周期と垂直同期タイミングの信号である。
【００４１】
１０８０ｉマスタと１０８０ｉスレーブはそれぞれ、プログレッシブ動画像データから生成されたマスタインターレース信号とスレーブインターレース信号の動画像データを示す。１０８０ｉマスタと１０８０ｉスレーブにおいて、ＴＯＰで示す部分の動画像データは、１０８０ｐにおける各フレームの偶数ラインから構成されている。１０８０ｉマスタと１０８０ｉスレーブにおいて、ＢＯＴＴＯＭで示す部分の動画像データは、１０８０ｐにおける各フレームの奇数ラインから構成されている。従って、ＴＯＰ１とＢＯＴＴＯＭ１の動画像は、互いにインターレースの関係となる。１０８０ｉマスタと１０８０ｉスレーブはそれぞれ、１フィールド期間毎にＴＯＰとＢＯＴＴＯＭが交互に含まれ、インターレースの動画像となっている。マスタインターレース信号が、正規の１９２０×１０８０／５９．９４Ｈｚのインターレース信号になるように、フィールド周期、垂直同期タイミング及び水平同期タイミングが規定されている。
【００４２】
図３（ｂ）は、ＩＰ変換部２０４のタイミングチャート例を示す。１０８０ｉマスタと１０８０ｉスレーブはそれぞれ、マスタインターレース信号の動画像データとスレーブインターレース信号の動画像データを示す。同じフィールド期間の１０８０ｉマスタと１０８０ｉスレーブの動画像データから、１フレームの１０８０ｐの動画像データが生成される。
【００４３】
次に、再生ポーズ時における画像処理部１０２の動作を説明する。図４は、プログレッシブ動画像データの再生中に再生ポーズの指示があったときの画像処理部１０２の動作タイミング例を示す。図４に示す各信号の名称は、図３に示したものと同じである。
【００４４】
動画の通常再生中にポーズの指示があると、ＣＰＵ１０９は、メモリ１０３への新たな動画像データの書き込みを停止すると共に、ＰＩ変換部２０１に、ポーズの指示があった時点のフレームを繰り返し読み出すように指示する。
【００４５】
例えば、図４では、フレーム０の再生中にポーズの指示があり、ＰＩ変換部２０１は、このフレーム０のデータをメモリ１０３から繰り返し読み出す。そして、前記の様に、読み出した１フレームの１０８０ｐのデータから１０８０ｉマスタと１０８０ｉスレーブを生成する。ＩＩ変換部２０２は、ＣＰＵ１０９からのポーズ指示に従い、１０８０ｉマスタのインターレース信号を表示部１０４と外部ＩＦ１０５に出力する。これにより、図４に示す例では、フレーム０の画像がポーズ画面として表示される。この際、フィールド期間毎に交互に表示されるＴＯＰ０とＢＯＴＴＯＭ０の画像は、元の１０８０ｐにおける同じフレームの画像なので、フィールド間の動きが無い高精細な静止画が表示される。
【００４６】
スロー再生時における画像処理部１０２の動作を説明する。図５は、プログレッシブ動画像データのスロー再生中に再生ポーズの指示があったときの、画像処理部１０２の動作タイミング例を示す。図５に示す各信号の名称は、図３に示したものと同じである。図５は、１０８０ｉｆの立ち下がりのタイミングでＴＯＰの画像を出力するタイミング例を示す。
【００４７】
動画の通常再生中にスロー再生の指示があると、ＣＰＵ１０９は、メモリ１０３に記憶された各フレームの再生動画像データを、１フレームについて二回ずつ読み出すように指示する。ＰＩ変換部２０１は、１０８０ｉｆの立ち下がりのタイミングで、メモリ１０３から読み出すフレームを切り替える。ＩＩ変換部２０２は、マスタインターレース信号を選択して表示部１０４と外部ＩＦ１０５に出力する。この結果、１０８０ｉｆの立ち下がりのタイミングで、表示画面が更新される。
【００４８】
図６は、プログレッシブ動画像データの再生中に再生ポーズの指示があったときの、画像処理部１０２の他の動作タイミング例を示す。図６に示す各信号の名称は、図３に示したものと同じである。図６に示す例は、１０８０ｉｆの立ち上がりのタイミングで表示画面を更新する場合を示す。
【００４９】
例えば、１／３倍速のスロー再生の場合、同じフレームの画面を三回ずつ表示する必要があるが、その場合、本来は、１０８０ｉｆの立ち上がりのタイミングで表示画面を更新しなければならない。しかし、１０８０ｉｆの立ち上がりのタイミングで表示画面を変更すると、元の１０８０ｐ信号において別のフレームの画像がＴＯＰフィールドとＢＯＴＴＯＭフィールドとして表示されてしまう。
【００５０】
このような場合、ＩＩ変換部２０２は、図６に示す様に、マスタインターレース信号のＴＯＰ０と同じフィールド期間に入力されるスレーブインターレース信号のＢＯＴＴＯＭ０信号をメモリ１０３に記憶する。そして、１０８０ｉｆの立ち上がりのタイミングでは、ＩＩ変換部２０２は、メモリ１０３に記憶しておいたＢＯＴＴＯＭ０の信号を選択して、表示部１０４と外部ＩＦ１０５に出力する。更に、次のフィールド期間からは、再度、マスタインターレース信号を選択して出力する。
【００５１】
このように、本実施例では、プログレッシブ動画像データを２系統のインターレース動画像データに変換し、出力先の表示形態に応じて、インターレース動画像データとプログレッシブの動画像データを切り替えて出力する。これにより、回路規模と消費電力を抑えながら、高精細な動画像を扱うことが可能となる。
【図１】
0005761963.tif 000002
【図２】
0005761963.tif 000003
【図３】
0005761963.tif 000004
【図４】
0005761963.tif 000005
【図５】
0005761963.tif 000006
【図６】
0005761963.tif 000007